(57)【要約】      （修正有）【課題】印刷領域以外の印刷後に裁断・破棄される部分が必要最小限しか生じないようにし、もって紙資源の無駄を少なくし、用紙購入・輸送のための経費を節減し、さらに環境保護にも資するカード入会申込書印刷用紙を提供する。【解決手段】縦２３０ｍｍで横８７３ｍｍのカード等入会申込書用の印刷用紙であって、平面形状が縦４７０ｍｍから５２０ｍｍ程度、横８７５ｍｍ程度であり、前記カード入会申込書二通分を縦二段に印刷したときに、印刷機で把持するためなどに用いられる部分であって、印刷後には不要部分として裁断され破棄すべき帯部分が縦方向の端部に１０ｍｍから６０ｍｍ程度確保できる様にして、カード入会申込書印刷用紙を形成する。【選択図】図１
0003158831.tif 000002
【実用新案登録請求の範囲】
【請求項１】
縦２３０ｍｍで横８７３ｍｍのカード等入会申込書用の印刷用紙であって、
平面形状が縦４７０ｍｍから５２０ｍｍ程度、横８７５ｍｍ程度であり、
前記カード入会申込書二通分を縦二段に印刷したときに、印刷機で把持するためなどに用いられる部分であって、印刷後には不要部分として裁断され破棄すべき帯部分が縦方向の端部に１０ｍｍから６０ｍｍ程度確保できることを特徴とするカード入会申込書印刷用紙。
【請求項２】
前記カード入会申込書用印刷用紙は、マットコート紙であることを特徴とする請求項１に記載のカード入会申込書用印刷用紙。
【請求項３】
請求項１または２に記載のカード入会申込書用印刷用紙の前記帯部分を把持する把持部と、
把持部で把持された前記カード入会申込書用印刷用紙を横方向に送ってブランケットに挿入する挿入部と、
縦２３０ｍｍで横８７３ｍｍのカード等入会申込書を印刷用紙に縦二段に印刷するための印刷用ローラを備えた印刷部と、
を有する印刷装置。
【考案の詳細な説明】
【技術分野】
【０００１】
本件考案は、クレジットカードなどの入会申込書の印刷に用いるカード入会申込書印刷用紙および当該カード入会申込書印刷用紙にカード等入会申込書を印刷するための印刷装置に関する。
【背景技術】
【０００２】
クレジットカードなどの入会申込書（本考案において「カード等入会申込書」という）は、一般に変則９ツ折と呼ばれる方法で折りたたまれた形状を有している。
【０００３】
図５は変則９ツ折により折りたたまれるカード等入会申込書の形状・寸法の一例を示す図である。変則９ツ折とは、図５（ａ）に示すような縦２３０ｍｍ×横８７３ｍｍの寸法を有する長方形形状の紙０５００を図５（ｂ）に示すように横方向に略九等分する８か所の破線部分で山折りまたは谷折りすることにより折りたたみ、図５（ｃ）に示すような縦２３０ｍｍ×横１００ｍｍの９ツ折の冊子形状としたものである。この縦２３０ｍｍ×横１００ｍｍという寸法は、郵便法に基づく定形郵便物として所定の料金で郵送可能なサイズであり、クレジットカード等の入会申込者が、カード等入会申込書に必要事項を記入し、糊づけ等により封書の体裁としたうえで、定形郵便物である封書として、カード会社等の申込先に宛てて所定の料金で当該カード等入会申込書を郵送できるようになっている。従って、カード等入会申込書のサイズは、折りたたんで冊子状態としたときに縦２３０ｍｍ×横１００ｍｍになるように、広げた状態において縦２３０ｍｍ×横８７３ｍｍというサイズにほぼ統一されているという現状にある（かかるサイズを有するカード等入会申込書の一例として非特許文献１参照）。
【０００４】
カード等入会申込書を印刷する際には、通例、一枚の用紙当たり二通分を縦二段に印刷し（片面印刷であっても両面印刷であってもよい）、印刷後にカード等入会申込書以外の部分を裁断して破棄するという方法が用いられている。このため、一枚の印刷用紙の大きさは、少なくとも縦２３０ｍｍ×横８７３ｍｍのカード等入会申込書が印刷される領域（本明細書において「印刷領域」という）を縦二段に二通分確保できる寸法、即ち、縦４６０ｍｍ×横８７３ｍｍ以上であることを要する。ただし、一枚の印刷用紙に確保されるべき領域は印刷領域だけでは足りず、このほかに印刷はされないが印刷に際して不可欠な領域（本明細書において「非印刷領域」という）が存在する。具体的には、印刷に際して紙送りを行う際に必要な動作である印刷用紙の把持のための領域と、印刷する際にどうしても避けられないインクのはみ出しに対応するための領域がこの非印刷領域に該当する（詳細については後述する）。
【０００５】
カード等入会申込書を印刷するための印刷用紙として、従来から定型サイズの用紙が用いられている。具体的には、菊全判と呼ばれる６３６ｍｍ×９３９ｍｍのサイズの用紙が多く用いられている。これは、菊全判サイズが、上述の縦４６０ｍｍ×横８７３ｍｍの印刷領域に非印刷領域を加えた所要の寸法を確保できる定型サイズの用紙の中ではもっともこの所要の寸法に近く、従って、無駄な領域が最も少ないものであるためである。
【０００６】
図６は、菊全判の印刷用紙の例で、従来の印刷用紙における印刷領域、非印刷領域などの位置の一例を示す図である。この図に示すように、印刷用紙０６００の概ね中央部分に二通分の印刷領域０６１０が設けられる。この印刷領域の二通分合計の寸法は縦が４６０ｍｍであり横が８７３ｍｍである。また、印刷領域の周囲に非印刷領域０６２０（斜線で示す）が上記目的のために不可欠な領域として確保される。
【先行技術文献】
【非特許文献】
【０００７】
【非特許文献１】三菱ＵＦＪニコス株式会社「ＮＩＣＯＳ  ＣＡＲＤ  入会申込書」
【考案の概要】
【考案が解決しようとする課題】
【０００８】
しかし、以上のような定型サイズの用紙を用いる従来の方法では、印刷領域にも非印刷領域にも含まれない無駄な領域（本明細書において「不要領域」という）がかなりの面積に及び、これらの領域は何ら使用されることなく印刷終了後に裁断されて破棄されることとなるため、紙資源の無駄であるという問題があった。上述の菊全判サイズは、上述のように定型サイズの中では不要領域となる面積が最も少ないものであるが、それでも図６に示されているように、例えば印刷領域・非印刷領域の上方に縦１１５ｍｍ〜１６５ｍｍ程度×横９３９ｍｍの不要領域０６４０（格子で示す）が生じてしまう。仮に菊全判よりさらにサイズの大きな定型サイズの用紙（例えば７８８ｍｍ×１０９１ｍｍである四六全判）を用いた場合には一層大きな不要領域を生じてしまう。このように印刷用紙として定型サイズのものを用いた場合には、かなりの面積の不要領域が生じてしまうことが避けられないという問題があった。
【０００９】
また、定型サイズの用紙を用いる従来の方法の場合、上のような不要領域が多く発生する用紙を購入しなければならいが、用紙のサイズが大きくなればそれだけ用紙の価格も増すことになるから、印刷の発注者（主に印刷業者）にとって無駄な購入経費を費やさざるを得ないという問題もあった。また、発注された用紙は通例千枚単位を梱包した束として輸送されて納品されるため、輸送コストも余計にかかることになり、この点からも経費の無駄が生じていた。
【００１０】
さらに、カード入会申込書の需要は相当数に上っているので、このように不要部分の多く発生する定型サイズの用紙（例えば菊全判）がカード入会申込書のために生産されることは、結果として、無駄に破棄されるために所要量以上の紙が生産されることとなり、遡れば森林が無駄に伐採されることにもつながる。また、印刷後に裁断されて廃棄される量も多くなるので、このような廃棄物の処理の問題も生じる。このように定型サイズの用紙を用いる従来の方法は、環境保護の観点からも問題があった。
【００１１】
本考案は以上のような問題点に鑑みたものである。即ち、本考案の解決すべき課題は、カード入会申込書用印刷用紙について、印刷領域以外の印刷後に裁断・破棄される部分が必要最小限しか生じないようにし、もって紙資源の無駄を少なくし、用紙購入・輸送のための経費を節減し、さらに環境保護にも資するカード入会申込書印刷用紙を提供することにある。また、合わせてカード入会申込書用印刷用紙の印刷に適した印刷装置を提供することにある。
【課題を解決するための手段】
【００１２】
以上の課題を解決するため、第一の考案は、縦２３０ｍｍで横８７３ｍｍのカード等入会申込書用の印刷用紙であって、平面形状が縦４７０ｍｍから５２０ｍｍ程度、横８７５ｍｍ程度であり、前記カード入会申込書二通分を縦二段に印刷したときに、印刷機で把持するためなどに用いられる部分であって、印刷後には不要部分として裁断され破棄すべき帯部分が縦方向の端部に１０ｍｍから６０ｍｍ程度確保できることを特徴とするカード入会申込書印刷用紙を提供する。また、第二の考案は、第一の考案を基礎として、前記カード入会申込書用印刷用紙は、マットコート紙であることを特徴とするカード入会申込書用印刷用紙を提供する。
【００１３】
また、第三の考案は、第一の考案または第二の考案に記載のカード入会申込書用印刷用紙の前記帯部分を把持する把持部と、把持部で把持された前記カード入会申込書用印刷用紙を横方向に送ってブランケットに挿入する挿入部と、縦２３０ｍｍで横８７３ｍｍのカード等入会申込書を印刷用紙に縦二段に印刷するための印刷用ローラを備えた印刷部とを有する印刷装置を提供する。
【考案の効果】
【００１４】
本考案により、カード入会申込書用印刷用紙における印刷領域以外の印刷後に裁断・破棄される部分が必要最小限しか生じないようにし、もって紙資源の無駄を少なくし、用紙購入・輸送のための経費を節減し、さらに環境保護にも資するカード入会申込書印刷用紙を提供することが可能となる。また、合わせてカード入会申込書用印刷用紙の印刷に適した印刷装置を提供することが可能となる。
【図面の簡単な説明】
【００１５】
【図１】本考案のカード入会申込書印刷用紙の寸法・形状の一例を示す平面図
【図２】把持領域について説明するための図
【図３】インクはみ出し領域について説明するための図
【図４】実施例２の印刷装置の一例を示す概念図
【図５】変則９ツ折により折りたたまれるカード等入会申込書の形状・寸法の一例を示す図
【図６】従来の印刷用紙における印刷領域、非印刷領域などの位置の一例を示す図
【符号の説明】
【００１６】
０１００      カード入会申込書印刷用紙
０１１０      印刷領域
０１２０      非印刷領域
【考案を実施するための形態】
【００１７】
以下に、本考案の実施例を説明する。実施例と請求項の相互の関係については、実施例１は主に請求項１、請求項２などに関し、実施例２は主に請求項３などに関する。なお、本考案はこれら実施例に何ら限定されるものではなく、その要旨を逸脱しない範囲において、種々なる態様で実施しうる。
【実施例１】
【００１８】
<概要>
【００１９】
本実施例のカード入会申込書印刷用紙は、縦２３０ｍｍで横８７３ｍｍのカード等入会申込書用の印刷用紙であって、平面形状が縦４７０ｍｍから５２０ｍｍ程度、横８７５ｍｍ程度の寸法を有するものである。
【００２０】
<構成>
【００２１】
（全般）
【００２２】
図１は本考案のカード入会申込書印刷用紙の寸法・形状の一例を示す平面図である。本図に示すように、本考案のカード入会申込書印刷用紙０１００は、平面形状が縦４７０ｍｍから５２０ｍｍ程度、横８７５ｍｍ程度の長方形形状を有する。なお、ここにいう縦・横は、説明の便宜のためにカード入会申込書を印刷した状態におけるカード入会申込書の縦・横の向きに合わせたものであって、印刷用紙自体は本来どちらが縦でどちらが横であってもよい。従って、４７０ｍｍから５２０ｍｍ程度×８７５ｍｍ程度の長方形形状の印刷用紙であればすべて本考案の技術的範囲に含まれる。
【００２３】
本考案のカード入会申込書印刷用紙の厚さには特に限定はない。ただし、後述のように、好適例として、材質がマットコート紙であるものが挙げられるので、マットコート紙の厚さである０．０６〜０．１７ｍｍ程度の厚さを有するものを好適な厚さの一例として挙げることができる。
【００２４】
本考案のカード入会申込書印刷用紙の寸法を縦４７０ｍｍから５２０ｍｍ程度、横８７５ｍｍ程度とした理由は、縦２３０ｍｍで横８７３ｍｍのカード等入会申込書二通分を縦二段に印刷するための領域を確保できるようにするためである。図１には縦２３０ｍｍ×横８７３ｍｍのカード等入会申込書用の印刷領域０１１０が縦二段に二通分確保されていることが示されている。この「カード等入会申込書二通分を縦二段に印刷するための領域を確保できるようにする」ということ自体は、図６に示した従来の印刷用紙の場合と同様である。
【００２５】
また、この印刷領域以外に、非印刷領域として、印刷用紙の把持のための領域と、印刷する際にどうしても避けられないインクのはみ出しに対応するための領域も確保できる必要があることも、やはり従来の印刷用紙の場合と同様である。図１の例では、二つの印刷領域０１１０の上下左右に非印刷領域０１２０（図中斜線で示す）が設けられていることが示されている。
【００２６】
しかし、図６と比較すれば明らかなように、従来の印刷用紙の場合には、これら印刷領域および非印刷領域のほかに何らの用途にも使用されない不要領域が少なくとも縦１１５ｍｍ〜１６５ｍｍ程度×横９３９ｍｍ生じるのに対し、本考案の印刷用紙ではこのような不要部分は全く生じないものとなっている。
【００２７】
ここで非印刷領域について詳述する。印刷を行うためには印刷領域のほかに一定の非印刷領域が設けられる必要がある。非印刷領域はカード等入会申込書の印刷領域ではないため印刷後に裁断して破棄される部分であるが、印刷に不可欠な部分であるため、印刷用紙に確保される必要がある領域である。
【００２８】
このような非印刷領域を確保する必要があるのは、すでに言及したように二つの理由による。第一には、印刷に際して紙送りを行う際に必要な動作である印刷用紙の把持のための領域を確保するためであり、第二には、印刷する際にどうしても避けられないインクのはみ出しに対応するための領域を確保する必要があるためである。
【００２９】
第一の印刷用紙の把持のための領域（以下「把持領域」という）は、通例複数枚が重ねられて印刷機の用紙トレイにセットされた印刷用紙を一枚ずつ紙送りする際に、印刷機に備えられたくわえ爪などの把持部によって把持される部分を含む帯部分（帯状の把持領域）であり、通例印刷用紙の上端に現れる。また、印刷機によっては、印刷用紙の両面に印刷がなされる場合に用紙の反対側を把持するタイプのものがあり、この場合には用紙の下端にもこの把持領域が必要となる。
【００３０】
図２は、このような把持領域について説明するための図である。本図の例では、図２（ａ）に示すように、カード入会申込書印刷用紙０２００の上下両端に帯部分である把持領域０２２１（斜線で示す）が現れている。把持領域として確保されるべき帯部分の最低限の幅は１０ｍｍ弱である。なお、上端にのみ把持領域が現れる場合は、この幅は上端のみで１０ｍｍ弱となる。
【００３１】
図２（ｂ）は、参考までに、印刷用紙が印刷機に備えられた把持部によって把持されている状態を示す。本図の例の把持部はくわえ爪の例であり、印刷機の用紙トレイ０２５４などにセットされた印刷用紙０２２０（通例複数枚重ねられてセットされた印刷用紙のうち一番上に現れる印刷用紙）を、印刷機に備えられたくわえ爪０２５５の先端部分０２５５ａで把持している状態が示されている。なお、本図の例では把持部（くわえ爪）によって把持される個所は一箇所であるが、把持部によって把持される個所は複数箇所であってもよい。
【００３２】
把持部によって把持される個所には、くわえ爪の爪痕などの傷が残るため、印刷領域として使用することはできない。図２（ａ）において把持領域の略中央部分に示す点状部分０２２２が把持部によって把持される個所として傷つけられる部分である。そこで、この部分を含む帯部分（帯状の把持領域）は、印刷後に裁断して破棄せざるを得ない領域となる。
【００３３】
また、第二のインクのはみ出しに対応するための領域（以下「インクはみ出し領域」という）は、カード等入会申込書の端まで印刷がなされる場合（例えば、カード等入会申込書の端まで一杯に色が塗られる場合）にはどうしても印刷領域からはみ出してインクが付着してしまうため、このはみ出し部分をいわば切りしろとして確保しておくためのものである。
【００３４】
図３は、このようなインクはみ出し領域について説明するための図である。本図の例は、カード等入会申込書の九ツ折のために九等分された各面のうちの一番左端に現れる面０３１１の上端部分０３１１ａと、下端部分０３１１ｂがそれぞれ端まで一杯に色が塗られる（斜線で示す）例である。このような印刷の場合、どうしてもインクの一部が印刷領域０３１０の外にはみ出してしまうことが避けられない。そこで、このはみ出した部分は、印刷後に裁断されて破棄される必要がある。本図に示すように、このインクはみ出し領域はそれぞれの印刷領域の上下および左右に現れ得る。このためのインクはみ出し領域として最低限確保されるべき領域の大きさは印刷領域の上下および左右いずれに現れるものについても幅約１．５ｍｍの帯状の領域である。なお、上段の印刷領域の上側と下段の印刷領域の下側に確保されるべき領域は、前述の把持領域と重なっていてもよい。従って、把持領域として確保すべき部分の方が大きいことから、これらの部分にはインクはみ出し領域を固有の領域として確保する必要はないことになる。
【００３５】
一方、上段の印刷領域と下段の印刷領域の中間には、固有の領域としてインクはみ出し領域を確保する必要がある。なぜなら、本図の例のように、カード等入会申込書の九ツ折のために九等分された各面のうちの同じ面の上端部分と下端部分のどちらにも端まで一杯に色が塗られる場合には、上段の印刷領域の当該面の下側と、その直下に位置する下側の印刷領域の当該面の上側に上下両方からインクがはみ出すこととなり、もしここにインクはみ出し領域を設けず、二つの印刷領域が直接接するように配置されていると、上下のはみ出し部分が双方の印刷領域の中で重なってしまうからである。このように上下のはみ出し部分が双方の印刷領域の中で重なってしまうと、上下のインクの色が異なっている場合にはこの部分だけ異なった色となってしまい（例えば赤と青の場合紫になってしまう）、また、上下のインクの色が同じであっても色の濃さが変わってしまう（例えばともに赤であってもこの部分だけ濃い赤になってしまう）ので、いずれの場合にも不都合である。従って、上下二つの印刷領域の中間には、固有の領域としてインクはみ出し領域を確保する必要があり、このため最低限確保されるべき領域の大きさは幅約３ｍｍの帯状の領域である。また、印刷領域の左右両端にもインクはみ出し領域を固有の領域として確保する必要があり、このための最低限確保されるべき領域の大きさはそれぞれ幅約１．５ｍｍの帯状の領域である。
【００３６】
以上に述べた把持領域として確保すべき領域の大きさと、インクはみ出し領域として確保すべき領域の大きさを総合すると、両者を合わせた非印刷領域として確保されるべき領域の最低限の大きさは、結局次のようになる。
【００３７】
まず、カード入会申込書用紙の上下に確保されるべき領域は、第一に、上段の印刷領域の上側と、下段の印刷領域の下側に確保すべき合計幅１０ｍｍ弱程度の帯部分である把持領域である。なお、上段の印刷領域の上側と、下段の印刷領域の下側に確保されるべきインクはみ出し領域は把持領域に包含可能であるので固有に確保される必要はない。また、第二に、二つの印刷領域の中間に、インクはみ出し領域として幅約３ｍｍの帯状の部分が確保される必要がある（当然ながらこの部分に把持領域が確保される必要はない）。従って、カード入会申込書用紙の上下に最低限確保されるべき領域は、合計で１０ｍｍ程度の帯部分（帯状の把持領域）となる。また、印刷機によっては、把持領域を上下両端に確保しなければならないことなどの変動要素を加えた場合でも合計で６０ｍｍ程度を確保すれば十分といえる。次に、カード入会申込書用紙の左右に確保されるべき領域は、印刷領域の左右のインクはみ出し領域だけであり、その最低限の大きさは合計で幅約３ｍｍの帯状の部分である。
【００３８】
以上より、カード入会申込書印刷用紙の縦の寸法は、印刷領域の縦の長さ４６０ｍｍに上記の非印刷領域の縦の長さ合計１０〜６０ｍｍ程度を加えた４７０〜５２０ｍｍ程度となり、横の寸法は印刷領域の横の長さ８７３ｍｍに上記の非印刷領域の横の長さ合計約３ｍｍを加えた８７５ｍｍ程度となる。
【００３９】
本考案のカード入会申込書印刷用紙の材料には限定はないが、マットコート紙であることが望ましい。マットコート紙は、コート紙（塗工紙）の一種であり、コート紙は、上質紙をベースとして表面にクレー（白色粘土）などの塗工層を設けた紙である。このため、コート紙には平滑性・印刷効果が上質紙に比べて高いという効果があるとされている。マットコート紙は、このコート紙を光沢度によって細分類した中の一つであり、光沢を抑えたものである。
【００４０】
マットコート紙が本考案のカード入会申込書印刷用紙として好適である理由は、カード等入会申込者が申込欄等にペンで記入する際にインクが滑りにくく、また、捺印の際に朱肉が定着しやすいという特徴があり、入会申込書の用途に適したものであるからである。
【００４１】
また、マットコート紙の種類には、Ａ２マットコート紙とＡ３マットコート紙があるが、いずれも本考案の印刷用紙として好適なものである。Ａ２マットコート紙とは、Ａ２コート紙に属するマットコート紙をいい、Ａ３マットコート紙とは、Ａ３コート紙に属するマットコート紙をいう。Ａ２コート紙は、塗工層の厚みが相対的に厚いものであり、カタログ、パンフレット、チラシなどに用いられ、印刷物に最も広く用いられている紙である。また、Ａ３コート紙は、塗工層の厚みが相対的に薄いものであり、チラシ、通販カタログなどに用いられるものである。
【００４２】
以上に述べたような本実施例のカード入会申込書印刷用紙によれば、不要部分として何らの用途にも使用されずに裁断・破棄される部分を生じないようにすることができることから、印刷領域以外の印刷後に裁断・破棄される部分を非印刷領域に限定することで必要最小限しか生じないようにすることができる。従って、紙資源の無駄を少なくし、用紙購入・輸送のための経費を節減し、さらに環境保護にも資することが可能となる。
【００４３】
用紙購入のための経費の節減について一例を上げれば、以下のとおりである。マットコート紙を用いてカード等入会申込書を８０万部印刷するために４０万枚の印刷用紙を購入する場合、従来の菊全判の寸法の紙を使用した場合には１０００枚当たりの重量は４８．５ｋｇである。従って、４０万枚の重量は１９４０ｋｇとなる。ここで、印刷用紙のキログラム当たりの単価の一例は１４５円であるので、１９４０ｋｇでは２，８１３，０００円となる。即ち、カード等入会申込書を８０万部印刷するために従来の菊全判の寸法のマットコート紙を使用する場合には、印刷用紙の購入経費として２，８１３，０００円を要することになる。これに対し、同じ印刷条件で本考案に係る印刷用紙を用いる場合には、１０００枚当たりの重量が縦の長さが５２０ｍｍの場合であっても３９．５ｋｇに減る結果、購入経費は２，２９１，０００円となり、従来に比べて約５２万円の節減を図ることができる。
【００４４】
<効果>
【００４５】
本実施例の考案により、カード入会申込書用印刷用紙における印刷領域以外の印刷後に裁断・破棄される部分が必要最小限しか生じないようにし、もって紙資源の無駄を少なくし、用紙購入・輸送のための経費を節減し、さらに環境保護にも資するカード入会申込書印刷用紙を提供することが可能となる。
【実施例２】
【００４６】
<概要>
【００４７】
本実施例の印刷装置は、実施例１のカード入会申込書用印刷用紙の印刷に適した印刷装置であり、平面形状が縦４７０ｍｍから５２０ｍｍ程度、横８７５ｍｍ程度の印刷用紙に縦２３０ｍｍで横８７３ｍｍのカード等入会申込書を印刷するのに適した形状、寸法を備えていることを特徴とする印刷装置である。
【００４８】
<構成>
【００４９】
（全般）
【００５０】
本実施例の印刷装置は、実施例１のカード入会申込書用印刷用紙の印刷に適した印刷装置であり、カード入会申込書用印刷用紙の前記帯部分を把持する把持部と、把持部で把持された前記カード入会申込書用印刷用紙を横方向に送ってブランケットに挿入する挿入部と、縦２３０ｍｍで横８７３ｍｍのカード等入会申込書を印刷用紙に縦二段に印刷するための印刷用ローラを備えた印刷部とを有する。
【００５１】
図４に本実施例の印刷装置の一例を示す概念図を示す。このうち（ａ）は平面図で示した概念図であり、（ｂ）は図４（ａ）のＡ−Ａ断面図で示した概念図である。図４（ａ）に示すように、本実施例の印刷装置０４５０は、把持部０４５１と、挿入部０４５２と、印刷用ローラ０４５３とを有する。なお、印刷装置の形状・機能自体は、一般的な印刷機と同様であるので、全体形状の図示は省略する。本実施例の印刷装置の特徴は、平面形状が縦４７０ｍｍから５２０ｍｍ程度、横８７５ｍｍ程度の印刷用紙に縦２３０ｍｍで横８７３ｍｍのカード入会申込書用印刷用紙の印刷に適した寸法、形状を備えている点にある。具体的には、カード入会申込書印刷用紙０４００をセットする用紙トレイ０４５４の幅（本図では上下方向の長さｌとして現れる）がほぼカード入会申込書印刷用紙の横の長さ（８７５ｍｍ程度）と同程度であり、当該用紙がぴったりと収まる程度である。
【００５２】
（把持部）
【００５３】
「把持部」は、カード入会申込書用印刷用紙の前記帯部分を把持するように構成されている。把持部の機能は、印刷に際して、通例複数枚が重ねられて印刷機の用紙トレイにセットされた印刷用紙を一枚ずつ紙送りするために、印刷用紙の一端を把持することにある。この把持部は、具体的には、例えば、印刷機に備えられたくわえ爪などによって構成される。また、把持部による把持は、カード入会申込書用印刷用紙の上下端などに確保される帯部分である把持領域を把持することにより行われる。把持部の形状の一例は、図２（ｂ）にくわえ爪の例で示したとおりである。把持部を構成するくわえ爪などの数は問わない。従って、図２（ｂ）の例に示したように一つであってもよいし、複数のくわえ爪でカード入会申込書印刷用紙の帯部分を把持するようにしてもよい。
【００５４】
（挿入部）
【００５５】
「挿入部」は、把持部で把持された前記カード入会申込書用印刷用紙を横方向に送ってブランケット０４５６に挿入するように構成されている。ブランケットは印刷機のうち印刷を行うためのスペースであり、次に述べる印刷用ローラが備えられ、印刷が行われる場所である。通例複数色を用いて印刷することから、ブランケットには複数の印刷用ローラが備えられる（本図では一つの印刷用ローラのみ示した）。この場合、ブランケットに挿入された印刷用紙は、例えば本図に示すような無限軌道の紙送りローラ０４５７によってブランケット内を矢印Ｂ方向に移動しつつ、印刷が行われるようになっている。
【００５６】
ブランケットの縦の長さも、カード入会申込書印刷用紙の横の長さと同程度（図中ｌで示される長さ）であり、印刷用紙がブランケット内の縦幅のほぼ全長を占める形で印刷されるようになっている。また、図には現れていないが、ブランケットの横の長さは、印刷用ローラの本数等にも依存するものの、印刷用紙の縦の長さ（４７０〜５２０ｍｍ程度）に比例して従来の印刷機よりも短くすることが可能となる。従って、全体として、印刷装置を従来の印刷機よりもコンパクトなサイズにすることができる。
【００５７】
挿入部０４５２を構成する具体的手段としては、例えば本図に示すように用紙トレイ上に設けられた給紙ローラが用いられ、当該給紙ローラが、複数枚セットされている印刷用紙のうちの一番上の一枚を捲り上げてこれをブランケットに送るように構成される。
【００５８】
（印刷用ローラ）
【００５９】
「印刷用ローラ」は、縦２３０ｍｍで横８７３ｍｍのカード等入会申込書を印刷用紙に縦二段に印刷するためのものである。この印刷用ローラの寸法も、カード入会申込書印刷用紙の寸法に合わせてコンパクトなものとすることが可能となる。
【００６０】
以上から明らかなように、本実施例の印刷装置は、実施例１のカード入会申込書印刷用紙の普及を促進することを目的とするものである。即ち、カード入会申込書印刷用紙は、既述のように、これ自体が紙資源の無駄を少なくし、用紙購入・輸送のための経費を節減し、さらに環境保護にも資することを可能にするものである。このような印刷用紙は、用紙を購入する印刷業者等にとっては、利用のインセンティブを強く働かせ得るものである。従って、カード入会申込書印刷用紙だけでも本考案の目的を十分に達成することは可能である。しかしながら、印刷用紙を販売する製紙業者等にとっては、印刷用紙購入代金の節減などは必ずしも本考案に係るカード入会申込書印刷用紙の利用（製造）のインセンティブとしては働かない可能性も考えられる。この点、本実施例に係る印刷装置は、従来カード等入会申込書の印刷に用いられてきた印刷機よりもコンパクトにすることができるから、当然従来の印刷機よりも安価で購入することができると考えられる。即ち、本実施例に係る印刷装置でも、本考案のカード入会申込書印刷用紙より小さい用紙の印刷には対応できることから汎用性はあり、また仮にカード入会申込書印刷用紙の専用の印刷装置として使用するにしても、カード等入会申込書の印刷需要は相当数に上ると見込まれることから、本実施例の印刷装置の生産需要も相当あると見込まれる。そこで、本実施例の印刷装置が普及すれば、これに対応して、本考案のカード入会申込書用印刷用紙の需要が増し、本考案のカード入会申込書用印刷用紙の普及につながることが期待できるといえる。
【００６１】
<効果>
【００６２】
本実施例の印刷装置により、本考案のカード入会申込書用印刷用紙の印刷に適した印刷装置を提供することができ、もって本考案のカード入会申込書用印刷用紙の普及に資することが期待できる。
【図１】
0003158831.tif 000003
【図２】
0003158831.tif 000004
【図３】
0003158831.tif 000005
【図４】
0003158831.tif 000006
【図５】
0003158831.tif 000007
【図６】
0003158831.tif 000008
【手続補正書】
【提出日】平成22年2月17日(2010.2.17)
【手続補正１】
【補正対象書類名】実用新案登録請求の範囲
【補正対象項目名】請求項１
【補正方法】変更
【補正の内容】
【請求項１】
縦２３０ｍｍで横８７３ｍｍのカード入会申込書用の印刷用紙であって、
平面形状が縦４７０ｍｍから５２０ｍｍ程度、横８７５ｍｍ程度であり、
前記カード入会申込書二通分を縦二段に印刷したときに、印刷機で把持するためなどに用いられる部分であって、印刷後には不要部分として裁断され破棄すべき帯部分が縦方向の端部に１０ｍｍから６０ｍｍ程度確保できることを特徴とするカード入会申込書用印刷用紙。
【手続補正２】
【補正対象書類名】実用新案登録請求の範囲
【補正対象項目名】請求項３
【補正方法】変更
【補正の内容】
【請求項３】
請求項１または２に記載のカード入会申込書用印刷用紙の前記帯部分を把持する把持部と、
把持部で把持された前記カード入会申込書用印刷用紙を横方向に送ってブランケットに挿入する挿入部と、
縦２３０ｍｍで横８７３ｍｍのカード入会申込書を印刷用紙に縦二段に印刷するための印刷用ローラを備えた印刷部と、
を有する印刷装置。
【手続補正３】
【補正対象書類名】明細書
【補正対象項目名】全文
【補正方法】変更
【補正の内容】
【考案の詳細な説明】
【技術分野】
【０００１】
本件考案は、クレジットカードなどの入会申込書の印刷に用いるカード入会申込書用印刷用紙および当該カード入会申込書用印刷用紙にカード入会申込書を印刷するための印刷装置に関する。
【背景技術】
【０００２】
クレジットカードなどの入会申込書（本考案において「カード入会申込書」という）は、一般に変則９ツ折と呼ばれる方法で折りたたまれた形状を有している。
【０００３】
図５は変則９ツ折により折りたたまれるカード入会申込書の形状・寸法の一例を示す図である。変則９ツ折とは、図５（ａ）に示すような縦２３０ｍｍ×横８７３ｍｍの寸法を有する長方形形状の紙０５００を図５（ｂ）に示すように横方向に略九等分する８か所の破線部分で山折りまたは谷折りすることにより折りたたみ、図５（ｃ）に示すような縦２３０ｍｍ×横１００ｍｍの９ツ折の冊子形状としたものである。この縦２３０ｍｍ×横１００ｍｍという寸法は、郵便法に基づく定形郵便物として所定の料金で郵送可能なサイズであり、クレジットカード等の入会申込者が、カード入会申込書に必要事項を記入し、糊づけ等により封書の体裁としたうえで、定形郵便物である封書として、カード会社等の申込先に宛てて所定の料金で当該カード入会申込書を郵送できるようになっている。従って、カード入会申込書のサイズは、折りたたんで冊子状態としたときに縦２３０ｍｍ×横１００ｍｍになるように、広げた状態において縦２３０ｍｍ×横８７３ｍｍというサイズにほぼ統一されているという現状にある（かかるサイズを有するカード入会申込書の一例として非特許文献１参照）。
【０００４】
カード入会申込書を印刷する際には、通例、一枚の用紙当たり二通分を縦二段に印刷し（片面印刷であっても両面印刷であってもよい）、印刷後にカード入会申込書以外の部分を裁断して破棄するという方法が用いられている。このため、一枚の印刷用紙の大きさは、少なくとも縦２３０ｍｍ×横８７３ｍｍのカード入会申込書が印刷される領域（本明細書において「印刷領域」という）を縦二段に二通分確保できる寸法、即ち、縦４６０ｍｍ×横８７３ｍｍ以上であることを要する。ただし、一枚の印刷用紙に確保されるべき領域は印刷領域だけでは足りず、このほかに印刷はされないが印刷に際して不可欠な領域（本明細書において「非印刷領域」という）が存在する。具体的には、印刷に際して紙送りを行う際に必要な動作である印刷用紙の把持のための領域と、印刷する際にどうしても避けられないインクのはみ出しに対応するための領域がこの非印刷領域に該当する（詳細については後述する）。
【０００５】
カード入会申込書を印刷するための印刷用紙として、従来から定型サイズの用紙が用いられている。具体的には、菊全判と呼ばれる６３６ｍｍ×９３９ｍｍのサイズの用紙が多く用いられている。これは、菊全判サイズが、上述の縦４６０ｍｍ×横８７３ｍｍの印刷領域に非印刷領域を加えた所要の寸法を確保できる定型サイズの用紙の中ではもっともこの所要の寸法に近く、従って、無駄な領域が最も少ないものであるためである。
【０００６】
図６は、菊全判の印刷用紙の例で、従来の印刷用紙における印刷領域、非印刷領域などの位置の一例を示す図である。この図に示すように、印刷用紙０６００の概ね中央部分に二通分の印刷領域０６１０が設けられる。この印刷領域の二通分合計の寸法は縦が４６０ｍｍであり横が８７３ｍｍである。また、印刷領域の周囲に非印刷領域０６２０（斜線で示す）が上記目的のために不可欠な領域として確保される。
【先行技術文献】
【非特許文献】
【０００７】
【非特許文献１】三菱ＵＦＪニコス株式会社「ＮＩＣＯＳ  ＣＡＲＤ  入会申込書」
【考案の概要】
【考案が解決しようとする課題】
【０００８】
しかし、以上のような定型サイズの用紙を用いる従来の方法では、印刷領域にも非印刷領域にも含まれない無駄な領域（本明細書において「不要領域」という）がかなりの面積に及び、これらの領域は何ら使用されることなく印刷終了後に裁断されて破棄されることとなるため、紙資源の無駄であるという問題があった。上述の菊全判サイズは、上述のように定型サイズの中では不要領域となる面積が最も少ないものであるが、それでも図６に示されているように、例えば印刷領域・非印刷領域の上方に縦１１５ｍｍ〜１６５ｍｍ程度×横９３９ｍｍの不要領域０６４０（格子で示す）が生じてしまう。仮に菊全判よりさらにサイズの大きな定型サイズの用紙（例えば７８８ｍｍ×１０９１ｍｍである四六全判）を用いた場合には一層大きな不要領域を生じてしまう。このように印刷用紙として定型サイズのものを用いた場合には、かなりの面積の不要領域が生じてしまうことが避けられないという問題があった。
【０００９】
また、定型サイズの用紙を用いる従来の方法の場合、上のような不要領域が多く発生する用紙を購入しなければならいが、用紙のサイズが大きくなればそれだけ用紙の価格も増すことになるから、印刷の発注者（主に印刷業者）にとって無駄な購入経費を費やさざるを得ないという問題もあった。また、発注された用紙は通例千枚単位を梱包した束として輸送されて納品されるため、輸送コストも余計にかかることになり、この点からも経費の無駄が生じていた。
【００１０】
さらに、カード入会申込書の需要は相当数に上っているので、このように不要部分の多く発生する定型サイズの用紙（例えば菊全判）がカード入会申込書のために生産されることは、結果として、無駄に破棄されるために所要量以上の紙が生産されることとなり、遡れば森林が無駄に伐採されることにもつながる。また、印刷後に裁断されて廃棄される量も多くなるので、このような廃棄物の処理の問題も生じる。このように定型サイズの用紙を用いる従来の方法は、環境保護の観点からも問題があった。
【００１１】
本考案は以上のような問題点に鑑みたものである。即ち、本考案の解決すべき課題は、カード入会申込書用印刷用紙について、印刷領域以外の印刷後に裁断・破棄される部分が必要最小限しか生じないようにし、もって紙資源の無駄を少なくし、用紙購入・輸送のための経費を節減し、さらに環境保護にも資するカード入会申込書用印刷用紙を提供することにある。また、合わせてカード入会申込書用印刷用紙の印刷に適した印刷装置を提供することにある。
【課題を解決するための手段】
【００１２】
以上の課題を解決するため、第一の考案は、縦２３０ｍｍで横８７３ｍｍのカード入会申込書の印刷用紙であって、平面形状が縦４７０ｍｍから５２０ｍｍ程度、横８７５ｍｍ程度であり、前記カード入会申込書二通分を縦二段に印刷したときに、印刷機で把持するためなどに用いられる部分であって、印刷後には不要部分として裁断され破棄すべき帯部分が縦方向の端部に１０ｍｍから６０ｍｍ程度確保できることを特徴とするカード入会申込書用印刷用紙を提供する。また、第二の考案は、第一の考案を基礎として、前記カード入会申込書用印刷用紙は、マットコート紙であることを特徴とするカード入会申込書用印刷用紙を提供する。
【００１３】
また、第三の考案は、第一の考案または第二の考案に記載のカード入会申込書用印刷用紙の前記帯部分を把持する把持部と、把持部で把持された前記カード入会申込書用印刷用紙を横方向に送ってブランケットに挿入する挿入部と、縦２３０ｍｍで横８７３ｍｍのカード入会申込書を印刷用紙に縦二段に印刷するための印刷用ローラを備えた印刷部とを有する印刷装置を提供する。
【考案の効果】
【００１４】
本考案により、カード入会申込書用印刷用紙における印刷領域以外の印刷後に裁断・破棄される部分が必要最小限しか生じないようにし、もって紙資源の無駄を少なくし、用紙購入・輸送のための経費を節減し、さらに環境保護にも資するカード入会申込書用印刷用紙を提供することが可能となる。また、合わせてカード入会申込書用印刷用紙の印刷に適した印刷装置を提供することが可能となる。
【図面の簡単な説明】
【００１５】
【図１】本考案のカード入会申込書用印刷用紙の寸法・形状の一例を示す平面図
【図２】把持領域について説明するための図
【図３】インクはみ出し領域について説明するための図
【図４】実施例２の印刷装置の一例を示す概念図
【図５】変則９ツ折により折りたたまれるカード入会申込書の形状・寸法の一例を示す図
【図６】従来の印刷用紙における印刷領域、非印刷領域などの位置の一例を示す図
【符号の説明】
【００１６】
０１００      カード入会申込書用印刷用紙
０１１０      印刷領域    
０１２０      非印刷領域
【考案を実施するための形態】
【００１７】
以下に、本考案の実施例を説明する。実施例と請求項の相互の関係については、実施例１は主に請求項１、請求項２などに関し、実施例２は主に請求項３などに関する。なお、本考案はこれら実施例に何ら限定されるものではなく、その要旨を逸脱しない範囲において、種々なる態様で実施しうる。
【実施例１】
【００１８】
<概要>
【００１９】
本実施例のカード入会申込書用印刷用紙は、縦２３０ｍｍで横８７３ｍｍのカード入会申込書の印刷用紙であって、平面形状が縦４７０ｍｍから５２０ｍｍ程度、横８７５ｍｍ程度の寸法を有するものである。
【００２０】
<構成>
【００２１】
（全般）
【００２２】
図１は本考案のカード入会申込書用印刷用紙の寸法・形状の一例を示す平面図である。本図に示すように、本考案のカード入会申込書用印刷用紙０１００は、平面形状が縦４７０ｍｍから５２０ｍｍ程度、横８７５ｍｍ程度の長方形形状を有する。なお、ここにいう縦・横は、説明の便宜のためにカード入会申込書を印刷した状態におけるカード入会申込書の縦・横の向きに合わせたものであって、印刷用紙自体は本来どちらが縦でどちらが横であってもよい。従って、４７０ｍｍから５２０ｍｍ程度×８７５ｍｍ程度の長方形形状の印刷用紙であればすべて本考案の技術的範囲に含まれる。
【００２３】
本考案のカード入会申込書用印刷用紙の厚さには特に限定はない。ただし、後述のように、好適例として、材質がマットコート紙であるものが挙げられるので、マットコート紙の厚さである０．０６〜０．１７ｍｍ程度の厚さを有するものを好適な厚さの一例として挙げることができる。
【００２４】
本考案のカード入会申込書用印刷用紙の寸法を縦４７０ｍｍから５２０ｍｍ程度、横８７５ｍｍ程度とした理由は、縦２３０ｍｍで横８７３ｍｍのカード入会申込書二通分を縦二段に印刷するための領域を確保できるようにするためである。図１には縦２３０ｍｍ×横８７３ｍｍのカード入会申込書用の印刷領域０１１０が縦二段に二通分確保されていることが示されている。この「カード入会申込書二通分を縦二段に印刷するための領域を確保できるようにする」ということ自体は、図６に示した従来の印刷用紙の場合と同様である。
【００２５】
また、この印刷領域以外に、非印刷領域として、印刷用紙の把持のための領域と、印刷する際にどうしても避けられないインクのはみ出しに対応するための領域も確保できる必要があることも、やはり従来の印刷用紙の場合と同様である。図１の例では、二つの印刷領域０１１０の上下左右に非印刷領域０１２０（図中斜線で示す）が設けられていることが示されている。
【００２６】
しかし、図６と比較すれば明らかなように、従来の印刷用紙の場合には、これら印刷領域および非印刷領域のほかに何らの用途にも使用されない不要領域が少なくとも縦１１５ｍｍ〜１６５ｍｍ程度×横９３９ｍｍ生じるのに対し、本考案の印刷用紙ではこのような不要部分は全く生じないものとなっている。
【００２７】
ここで非印刷領域について詳述する。印刷を行うためには印刷領域のほかに一定の非印刷領域が設けられる必要がある。非印刷領域はカード入会申込書の印刷領域ではないため印刷後に裁断して破棄される部分であるが、印刷に不可欠な部分であるため、印刷用紙に確保される必要がある領域である。
【００２８】
このような非印刷領域を確保する必要があるのは、すでに言及したように二つの理由による。第一には、印刷に際して紙送りを行う際に必要な動作である印刷用紙の把持のための領域を確保するためであり、第二には、印刷する際にどうしても避けられないインクのはみ出しに対応するための領域を確保する必要があるためである。
【００２９】
第一の印刷用紙の把持のための領域（以下「把持領域」という）は、通例複数枚が重ねられて印刷機の用紙トレイにセットされた印刷用紙を一枚ずつ紙送りする際に、印刷機に備えられたくわえ爪などの把持部によって把持される部分を含む帯部分（帯状の把持領域）であり、通例印刷用紙の上端に現れる。また、印刷機によっては、印刷用紙の両面に印刷がなされる場合に用紙の反対側を把持するタイプのものがあり、この場合には用紙の下端にもこの把持領域が必要となる。
【００３０】
図２は、このような把持領域について説明するための図である。本図の例では、図２（ａ）に示すように、カード入会申込書用印刷用紙０２００の上下両端に帯部分である把持領域０２２１（斜線で示す）が現れている。把持領域として確保されるべき帯部分の最低限の幅は１０ｍｍ弱である。なお、上端にのみ把持領域が現れる場合は、この幅は上端のみで１０ｍｍ弱となる。
【００３１】
図２（ｂ）は、参考までに、印刷用紙が印刷機に備えられた把持部によって把持されている状態を示す。本図の例の把持部はくわえ爪の例であり、印刷機の用紙トレイ０２５４などにセットされた印刷用紙０２２０（通例複数枚重ねられてセットされた印刷用紙のうち一番上に現れる印刷用紙）を、印刷機に備えられたくわえ爪０２５５の先端部分０２５５ａで把持している状態が示されている。なお、本図の例では把持部（くわえ爪）によって把持される個所は一箇所であるが、把持部によって把持される個所は複数箇所であってもよい。
【００３２】
把持部によって把持される個所には、くわえ爪の爪痕などの傷が残るため、印刷領域として使用することはできない。図２（ａ）において把持領域の略中央部分に示す点状部分０２２２が把持部によって把持される個所として傷つけられる部分である。そこで、この部分を含む帯部分（帯状の把持領域）は、印刷後に裁断して破棄せざるを得ない領域となる。
【００３３】
また、第二のインクのはみ出しに対応するための領域（以下「インクはみ出し領域」という）は、カード入会申込書の端まで印刷がなされる場合（例えば、カード入会申込書の端まで一杯に色が塗られる場合）にはどうしても印刷領域からはみ出してインクが付着してしまうため、このはみ出し部分をいわば切りしろとして確保しておくためのものである。
【００３４】
図３は、このようなインクはみ出し領域について説明するための図である。本図の例は、カード入会申込書の九ツ折のために九等分された各面のうちの一番左端に現れる面０３１１の上端部分０３１１ａと、下端部分０３１１ｂがそれぞれ端まで一杯に色が塗られる（斜線で示す）例である。このような印刷の場合、どうしてもインクの一部が印刷領域０３１０の外にはみ出してしまうことが避けられない。そこで、このはみ出した部分は、印刷後に裁断されて破棄される必要がある。本図に示すように、このインクはみ出し領域はそれぞれの印刷領域の上下および左右に現れ得る。このためのインクはみ出し領域として最低限確保されるべき領域の大きさは印刷領域の上下および左右いずれに現れるものについても幅約１．５ｍｍの帯状の領域である。なお、上段の印刷領域の上側と下段の印刷領域の下側に確保されるべき領域は、前述の把持領域と重なっていてもよい。従って、把持領域として確保すべき部分の方が大きいことから、これらの部分にはインクはみ出し領域を固有の領域として確保する必要はないことになる。
【００３５】
一方、上段の印刷領域と下段の印刷領域の中間には、固有の領域としてインクはみ出し領域を確保する必要がある。なぜなら、本図の例のように、カード入会申込書の九ツ折のために九等分された各面のうちの同じ面の上端部分と下端部分のどちらにも端まで一杯に色が塗られる場合には、上段の印刷領域の当該面の下側と、その直下に位置する下側の印刷領域の当該面の上側に上下両方からインクがはみ出すこととなり、もしここにインクはみ出し領域を設けず、二つの印刷領域が直接接するように配置されていると、上下のはみ出し部分が双方の印刷領域の中で重なってしまうからである。このように上下のはみ出し部分が双方の印刷領域の中で重なってしまうと、上下のインクの色が異なっている場合にはこの部分だけ異なった色となってしまい（例えば赤と青の場合紫になってしまう）、また、上下のインクの色が同じであっても色の濃さが変わってしまう（例えばともに赤であってもこの部分だけ濃い赤になってしまう）ので、いずれの場合にも不都合である。従って、上下二つの印刷領域の中間には、固有の領域としてインクはみ出し領域を確保する必要があり、このため最低限確保されるべき領域の大きさは幅約３ｍｍの帯状の領域である。また、印刷領域の左右両端にもインクはみ出し領域を固有の領域として確保する必要があり、このための最低限確保されるべき領域の大きさはそれぞれ幅約１．５ｍｍの帯状の領域である。
【００３６】
以上に述べた把持領域として確保すべき領域の大きさと、インクはみ出し領域として確保すべき領域の大きさを総合すると、両者を合わせた非印刷領域として確保されるべき領域の最低限の大きさは、結局次のようになる。
【００３７】
まず、カード入会申込書用紙の上下に確保されるべき領域は、第一に、上段の印刷領域の上側と、下段の印刷領域の下側に確保すべき合計幅１０ｍｍ弱程度の帯部分である把持領域である。なお、上段の印刷領域の上側と、下段の印刷領域の下側に確保されるべきインクはみ出し領域は把持領域に包含可能であるので固有に確保される必要はない。また、第二に、二つの印刷領域の中間に、インクはみ出し領域として幅約３ｍｍの帯状の部分が確保される必要がある（当然ながらこの部分に把持領域が確保される必要はない）。従って、カード入会申込書用紙の上下に最低限確保されるべき領域は、合計で１０ｍｍ程度の帯部分（帯状の把持領域）となる。また、印刷機によっては、把持領域を上下両端に確保しなければならないことなどの変動要素を加えた場合でも合計で６０ｍｍ程度を確保すれば十分といえる。次に、カード入会申込書用紙の左右に確保されるべき領域は、印刷領域の左右のインクはみ出し領域だけであり、その最低限の大きさは合計で幅約３ｍｍの帯状の部分である。
【００３８】
以上より、カード入会申込書用印刷用紙の縦の寸法は、印刷領域の縦の長さ４６０ｍｍに上記の非印刷領域の縦の長さ合計１０〜６０ｍｍ程度を加えた４７０〜５２０ｍｍ程度となり、横の寸法は印刷領域の横の長さ８７３ｍｍに上記の非印刷領域の横の長さ合計約３ｍｍを加えた８７５ｍｍ程度となる。
【００３９】
本考案のカード入会申込書用印刷用紙の材料には限定はないが、マットコート紙であることが望ましい。マットコート紙は、コート紙（塗工紙）の一種であり、コート紙は、上質紙をベースとして表面にクレー（白色粘土）などの塗工層を設けた紙である。このため、コート紙には平滑性・印刷効果が上質紙に比べて高いという効果があるとされている。マットコート紙は、このコート紙を光沢度によって細分類した中の一つであり、光沢を抑えたものである。
【００４０】
マットコート紙が本考案のカード入会申込書用印刷用紙として好適である理由は、カードの入会申込者が申込欄等にペンで記入する際にインクが滑りにくく、また、捺印の際に朱肉が定着しやすいという特徴があり、入会申込書の用途に適したものであるからである。
【００４１】
また、マットコート紙の種類には、Ａ２マットコート紙とＡ３マットコート紙があるが、いずれも本考案の印刷用紙として好適なものである。Ａ２マットコート紙とは、Ａ２コート紙に属するマットコート紙をいい、Ａ３マットコート紙とは、Ａ３コート紙に属するマットコート紙をいう。Ａ２コート紙は、塗工層の厚みが相対的に厚いものであり、カタログ、パンフレット、チラシなどに用いられ、印刷物に最も広く用いられている紙である。また、Ａ３コート紙は、塗工層の厚みが相対的に薄いものであり、チラシ、通販カタログなどに用いられるものである。
【００４２】
以上に述べたような本実施例のカード入会申込書用印刷用紙によれば、不要部分として何らの用途にも使用されずに裁断・破棄される部分を生じないようにすることができることから、印刷領域以外の印刷後に裁断・破棄される部分を非印刷領域に限定することで必要最小限しか生じないようにすることができる。従って、紙資源の無駄を少なくし、用紙購入・輸送のための経費を節減し、さらに環境保護にも資することが可能となる。
【００４３】
用紙購入のための経費の節減について一例を上げれば、以下のとおりである。マットコート紙を用いてカード入会申込書を８０万部印刷するために４０万枚の印刷用紙を購入する場合、従来の菊全判の寸法の紙を使用した場合には１０００枚当たりの重量は４８．５ｋｇである。従って、４０万枚の重量は１９４０ｋｇとなる。ここで、印刷用紙のキログラム当たりの単価の一例は１４５円であるので、１９４０ｋｇでは２，８１３，０００円となる。即ち、カード入会申込書を８０万部印刷するために従来の菊全判の寸法のマットコート紙を使用する場合には、印刷用紙の購入経費として２，８１３，０００円を要することになる。これに対し、同じ印刷条件で本考案に係る印刷用紙を用いる場合には、１０００枚当たりの重量が縦の長さが５２０ｍｍの場合であっても３９．５ｋｇに減る結果、購入経費は２，２９１，０００円となり、従来に比べて約５２万円の節減を図ることができる。
【００４４】
<効果>
【００４５】
本実施例の考案により、カード入会申込書用印刷用紙における印刷領域以外の印刷後に裁断・破棄される部分が必要最小限しか生じないようにし、もって紙資源の無駄を少なくし、用紙購入・輸送のための経費を節減し、さらに環境保護にも資するカード入会申込書用印刷用紙を提供することが可能となる。
【実施例２】
【００４６】
<概要>
【００４７】
本実施例の印刷装置は、実施例１のカード入会申込書用印刷用紙の印刷に適した印刷装置であり、平面形状が縦４７０ｍｍから５２０ｍｍ程度、横８７５ｍｍ程度の印刷用紙に縦２３０ｍｍで横８７３ｍｍのカード入会申込書を印刷するのに適した形状、寸法を備えていることを特徴とする印刷装置である。
【００４８】
<構成>
【００４９】
（全般）
【００５０】
本実施例の印刷装置は、実施例１のカード入会申込書用印刷用紙の印刷に適した印刷装置であり、カード入会申込書用印刷用紙の前記帯部分を把持する把持部と、把持部で把持された前記カード入会申込書用印刷用紙を横方向に送ってブランケットに挿入する挿入部と、縦２３０ｍｍで横８７３ｍｍのカード入会申込書を印刷用紙に縦二段に印刷するための印刷用ローラを備えた印刷部とを有する。
【００５１】
図４に本実施例の印刷装置の一例を示す概念図を示す。このうち（ａ）は平面図で示した概念図であり、（ｂ）は図４（ａ）のＡ−Ａ断面図で示した概念図である。図４（ａ）に示すように、本実施例の印刷装置０４５０は、把持部０４５１と、挿入部０４５２と、印刷用ローラ０４５３とを有する。なお、印刷装置の形状・機能自体は、一般的な印刷機と同様であるので、全体形状の図示は省略する。本実施例の印刷装置の特徴は、平面形状が縦４７０ｍｍから５２０ｍｍ程度、横８７５ｍｍ程度の印刷用紙に縦２３０ｍｍで横８７３ｍｍのカード入会申込書用印刷用紙の印刷に適した寸法、形状を備えている点にある。具体的には、カード入会申込書用印刷用紙０４００をセットする用紙トレイ０４５４の幅（本図では上下方向の長さｌとして現れる）がほぼカード入会申込書用印刷用紙の横の長さ（８７５ｍｍ程度）と同程度であり、当該用紙がぴったりと収まる程度である。
【００５２】
（把持部）
【００５３】
「把持部」は、カード入会申込書用印刷用紙の前記帯部分を把持するように構成されている。把持部の機能は、印刷に際して、通例複数枚が重ねられて印刷機の用紙トレイにセットされた印刷用紙を一枚ずつ紙送りするために、印刷用紙の一端を把持することにある。この把持部は、具体的には、例えば、印刷機に備えられたくわえ爪などによって構成される。また、把持部による把持は、カード入会申込書用印刷用紙の上下端などに確保される帯部分である把持領域を把持することにより行われる。把持部の形状の一例は、図２（ｂ）にくわえ爪の例で示したとおりである。把持部を構成するくわえ爪などの数は問わない。従って、図２（ｂ）の例に示したように一つであってもよいし、複数のくわえ爪でカード入会申込書用印刷用紙の帯部分を把持するようにしてもよい。
【００５４】
（挿入部）
【００５５】
「挿入部」は、把持部で把持された前記カード入会申込書用印刷用紙を横方向に送ってブランケット０４５６に挿入するように構成されている。ブランケットは印刷機のうち印刷を行うためのスペースであり、次に述べる印刷用ローラが備えられ、印刷が行われる場所である。通例複数色を用いて印刷することから、ブランケットには複数の印刷用ローラが備えられる（本図では一つの印刷用ローラのみ示した）。この場合、ブランケットに挿入された印刷用紙は、例えば本図に示すような無限軌道の紙送りローラ０４５７によってブランケット内を矢印Ｂ方向に移動しつつ、印刷が行われるようになっている。
【００５６】
ブランケットの縦の長さも、カード入会申込書用印刷用紙の横の長さと同程度（図中ｌで示される長さ）であり、印刷用紙がブランケット内の縦幅のほぼ全長を占める形で印刷されるようになっている。また、図には現れていないが、ブランケットの横の長さは、印刷用ローラの本数等にも依存するものの、印刷用紙の縦の長さ（４７０〜５２０ｍｍ程度）に比例して従来の印刷機よりも短くすることが可能となる。従って、全体として、印刷装置を従来の印刷機よりもコンパクトなサイズにすることができる。
【００５７】
挿入部０４５２を構成する具体的手段としては、例えば本図に示すように用紙トレイ上に設けられた給紙ローラが用いられ、当該給紙ローラが、複数枚セットされている印刷用紙のうちの一番上の一枚を捲り上げてこれをブランケットに送るように構成される。
【００５８】
（印刷用ローラ）
【００５９】
「印刷用ローラ」は、縦２３０ｍｍで横８７３ｍｍのカード入会申込書を印刷用紙に縦二段に印刷するためのものである。この印刷用ローラの寸法も、カード入会申込書用印刷用紙の寸法に合わせてコンパクトなものとすることが可能となる。
【００６０】
以上から明らかなように、本実施例の印刷装置は、実施例１のカード入会申込書用印刷用紙の普及を促進することを目的とするものである。即ち、カード入会申込書用印刷用紙は、既述のように、これ自体が紙資源の無駄を少なくし、用紙購入・輸送のための経費を節減し、さらに環境保護にも資することを可能にするものである。このような印刷用紙は、用紙を購入する印刷業者等にとっては、利用のインセンティブを強く働かせ得るものである。従って、カード入会申込書用印刷用紙だけでも本考案の目的を十分に達成することは可能である。しかしながら、印刷用紙を販売する製紙業者等にとっては、印刷用紙購入代金の節減などは必ずしも本考案に係るカード入会申込書用印刷用紙の利用（製造）のインセンティブとしては働かない可能性も考えられる。この点、本実施例に係る印刷装置は、従来カード入会申込書の印刷に用いられてきた印刷機よりもコンパクトにすることができるから、当然従来の印刷機よりも安価で購入することができると考えられる。即ち、本実施例に係る印刷装置でも、本考案のカード入会申込書用印刷用紙より小さい用紙の印刷には対応できることから汎用性はあり、また仮にカード入会申込書用印刷用紙の専用の印刷装置として使用するにしても、カード入会申込書の印刷需要は相当数に上ると見込まれることから、本実施例の印刷装置の生産需要も相当あると見込まれる。そこで、本実施例の印刷装置が普及すれば、これに対応して、本考案のカード入会申込書用印刷用紙の需要が増し、本考案のカード入会申込書用印刷用紙の普及につながることが期待できるといえる。
【００６１】
<効果>
【００６２】
本実施例の印刷装置により、本考案のカード入会申込書用印刷用紙の印刷に適した印刷装置を提供することができ、もって本考案のカード入会申込書用印刷用紙の普及に資することが期待できる。